(57)【要約】【課題】  電源コンセントおよびアンテナ端子の無い部屋においてＡＶ機器でテレビジョン電波信号やラジオ電波信号による映像や音声を視聴する場合に部屋間にまたがって引き回す線数を少なくできるとともに、電力と強い電波とを重畳して出力できてＡＶ機器でのテレビジョン信号やラジオ信号の良好な再生を可能とする電力電波重畳器等を得ることを目的とする。【解決手段】  本発明の電力電波重畳器は、電力入力部とアンテナで受信した電波を入力する電波入力端子７と電力と電波とを重畳する電力電波重畳回路１２と電力電波出力端子１３とを備え、電力電波出力端子に接続される電力電波重畳出力線６に電力と電波とを出力する。【選択図】        図２
2005236747.tif 000002
【特許請求の範囲】
【請求項１】
電力入力部とアンテナで受信した電波を入力する電波入力端子と電力と電波とを重畳する電力電波重畳回路と電力電波出力端子とを備え、電力電波出力端子に接続される電力電波重畳出力線に電力と電波とを出力することを特徴とする電力電波重畳器。
【請求項２】
電力電波重畳回路がコンデンサとコイルとの結合回路により形成され、コイルが出力電力形成回路系統の出力側に接続され、コンデンサが電波入力端子に接続されるとともにコイルの出力側に並列に接続されたことを特徴とする請求項１に記載の電力電波重畳器。
【請求項３】
電力電波重畳器が出力電力形成回路系統の出力側に過電流保護回路を備え、過電流保護回路が負性抵抗素子により形成されたことを特徴とする請求項１又は請求項２に記載の電力電波重畳器。
【請求項４】
出力電力形成回路系統が、入力した電源電圧を所定電圧に変圧する変圧器と、変圧器の出力を整流する整流回路と、整流回路の出力側に設けられた定電圧回路とにより形成されたことを特徴とする請求項２又は請求項３に記載の電力電波重畳器。
【請求項５】
請求項１ないし請求項４のいずれかに記載の電力電波重畳器より電力電波重畳出力線を経由して出力された電力と電波とを入力する電力電波入力端子と入力した電波と電力とを分離する電力電波分離回路と電波出力端子と電力出力端子とを備えたことを特徴とする電力電波分離器。
【請求項６】
請求項５に記載の電力電波分離器と、電力電波分離回路で分離された電波を入力するチューナと、電力電波分離回路で分離された電力を入力する電源回路とを備えたことを特徴とするＡＶ機器。
【請求項７】
請求項６のＡＶ機器に電力電波重畳器からの電力電波を供給するＡＶ機器接続構造であって、ＡＶ機器を載置する台座に電力電波重畳出力線と電気的に互いに接続された台座側接続電極を設け、ＡＶ機器に台座側電極と電気的に互いに接続されるＡＶ機器側接続電極を設け、台座側接続電極とＡＶ機器側接続電極との電気的接続により電力電波重畳器からの電力電波をＡＶ機器に供給したことを特徴とするＡＶ機器接続構造。
【発明の詳細な説明】
【技術分野】
【０００１】
本発明は電力と強い電波とを重畳して出力可能な電力電波重畳器等に関する。
【背景技術】
【０００２】
テレビ受像機、ラジオ受信機などのＡＶ（オーディオビジュアル）機器で映像、音声を良好に再生するためには一般に屋外アンテナからの信号線をＡＶ機器につなぐとともにＡＶ機器の電源コードを電源コンセントにつなぐ必要がある。つまり、ＡＶ機器と電源コンセント、ＡＶ機器とアンテナ端子とを互いに別々の線で接続する必要がある。したがって、床や壁に這わせる線の数が多くなり、線数をできるだけ少なくしたいという要望がある。特に、コンセントおよびアンテナ端子の無い部屋においてＡＶ機器で映像、音声を視聴するためには、コンセントおよびアンテナ端子の無い部屋とコンセントおよびアンテナ端子の無い部屋とにまたがって信号線と電源コードとを引き回さなくてはならず、また、屋内の景観を損ねる場合がある。一方、商用電源ラインに乗った地上放送の電波を電源プラグより入力してテレビジョン放送を受信するテレビジョン受像機が知られている（特許文献１）。即ち、商用電源ラインからの電力と商用電源ラインに乗った電波とを電源ケーブルにより重畳してテレビジョン受像機に出力する。これによれば、ＡＶ機器としてのテレビジョン受像の電源ケーブルを電源コンセントにつなぐだけでよいので、線数を少なくできる。しかしながら、商用電源ラインに乗る電波は減衰が激しく、ノイズも多いため、専用のアンテナにより受信した電波のような強い電波を出力することはできない。
【特許文献１】特開平１０−２８２４６号公報
【発明の開示】
【発明が解決しようとする課題】
【０００３】
発明が解決しようとする課題は、上記特許文献１では、線数を少なくできるが、電力と強い電波とを重畳して出力できないという点である。
本発明は上記課題を達成するためになされたもので、電源コンセントおよびアンテナ端子の無い部屋においてＡＶ機器でテレビジョン電波信号やラジオ電波信号による映像や音声を視聴する場合に部屋間にまたがって引き回す線数を少なくできるとともに、電力と強い電波とを重畳して出力できてＡＶ機器でのテレビジョン信号やラジオ信号の良好な再生を可能とする電力電波重畳器等を得ることを目的とする。
【課題を解決するための手段】
【０００４】
本発明の電力電波重畳器は、電力入力部とアンテナで受信した電波を入力する電波入力端子と電力と電波とを重畳する電力電波重畳回路と電力電波出力端子とを備え、電力電波出力端子に接続される電力電波重畳出力線に電力と電波とを出力することを最も特徴とする。電力電波重畳回路がコンデンサとコイルとの結合回路により形成され、コイルが出力電力形成回路系統の出力側に接続され、コンデンサが電波入力端子に接続されるとともにコイルの出力側に並列に接続されたことや、電力電波重畳器が出力電力形成回路系統の出力側に過電流保護回路を備え、過電流保護回路が負性抵抗素子により形成されたことや、出力電力形成回路系統が、入力した電源電圧を所定電圧に変圧する変圧器と、変圧器の出力を整流する整流回路と、整流回路の出力側に設けられた定電圧回路とにより形成されたことも特徴とする。
本発明の電力電波分離器は、上記電力電波重畳器より電力電波重畳出力線を経由して出力された電力と電波とを入力する電力電波入力端子と入力した電波と電力とを分離する電力電波分離回路と電波出力端子と電力出力端子とを備えたことを特徴とする。
本発明のＡＶ機器は、上記電力電波分離器と、電力電波分離回路で分離された電波を入力するチューナと、電力電波分離回路で分離された電力を入力する電源回路とを備えたことを特徴とする。
本発明のＡＶ機器に電力電波重畳器からの電力電波を供給するＡＶ機器接続構造は、ＡＶ機器を載置する台座に電力電波重畳出力線と電気的に互いに接続された台座側接続電極を設け、ＡＶ機器に台座側電極と電気的に互いに接続されるＡＶ機器側接続電極を設け、台座側接続電極とＡＶ機器側接続電極との電気的接続により電力電波重畳器からの電力電波をＡＶ機器に供給したことを特徴とする。
【発明の効果】
【０００５】
本発明の電力電波重畳器によれば、電力電波重畳出力端子に接続される電力電波重畳出力線により電力と電波とを重畳して出力できるので、電源コンセントおよびアンテナ端子の無い部屋においてＡＶ機器でテレビジョン信号やラジオ信号による映像や音声を視聴する場合に部屋間にまたがって引き回す線数を少なくできるとともに、電力とアンテナで受信した強い電波とを重畳して出力できるので、ＡＶ機器でのテレビジョン信号やラジオ信号の良好な再生を可能とする。また、電力電波重畳器内の出力電力形成回路系統の出力側に接続されたコイルと、電波入力端子に接続されるとともにコイルの出力側に並列に接続されたコンデンサとにより電力電波重畳回路を形成したので、コンデンサによりアンテナからの高周波信号である電波を出力電力形成回路系統の出力側に流すことができるとともに低周波信号である電力の電波入力端子側への流れを阻止でき、コイルにより出力電力形成回路系統からの電力を出力端子側に供給できるとともに出力電力形成回路系統側への電波の流れを阻止できるので、電力と電波の減衰を少なくできて、減衰の少ない電波電力重畳信号を電力電波出力端子を介して確実に出力させることができる。また、電力電波重畳器が出力電力形成回路系統の出力側に負性抵抗素子により形成された過電流保護回路を備えるので、負性抵抗素子を流れる電流により負性抵抗素子の温度が設定温度を超えると負性抵抗素子の抵抗値が急激に増加して電流を遮断するとともに、負性抵抗素子の温度が設定温度以下に戻ると抵抗値が小さくなって電流を流す。したがって、上昇電力電波重畳出力線に一定量を超えた電流を流さないようにできる。例えば、電力電波重畳出力線に短絡事故が発生した場合に電流を遮断できて、安全と電力電波重畳出力線に接続されるＡＶ機器の保護とを実現できるとともに、事故が復旧すれば再び電力電波重畳出力線に電流を流すことができる。出力電力形成回路系統が、変圧器と、整流回路と、定電圧回路とにより構成されたので、電力電波重畳出力線に所定電圧による安定な電力を供給できる。
本発明の電力電波分離器によれば、電力電波重畳器より電力電波重畳出力線を経由して出力された電力と電波とを分離してＡＶ機器に供給することが可能となり、ＡＶ機器でのテレビジョン信号やラジオ信号の良好な再生を可能とする。
本発明のＡＶ機器によれば、上記電力電波分離器を内蔵し、電波をチューナに、電力を入力する電源回路に供給できるので、テレビジョン信号やラジオ信号を良好に再生できる。
本発明のＡＶ機器接続構造によれば、台座側接続電極とＡＶ機器側接続電極との電気的接続により電力電波重畳器からの電力電波をＡＶ機器に供給できるので、ＡＶ機器に設ける電源ケーブルをなくすことができるとともに、ＡＶ機器にテレビジョン信号やラジオ信号の良好な再生を行なわせることが可能となる。
【発明を実施するための最良の形態】
【０００６】
図１は実施形態による電力電波重畳器、電力電波分離器、ＡＶ機器並びにＡＶ機器接続構造を用いたテレビシステムの全体構成を示し、図２は実施形態による電力電波重畳器、電力電波分離器、ＡＶ機器並びにＡＶ機器接続構造の回路構成を示す。
【０００７】
各図に示すように、実施形態のテレビ受像装置は、アンテナ１と、電力電波重畳器２と、ＡＶ機器接続装置３と、ＡＶ機器としてのテレビ受像機４と、アンテナ１と電力電波重畳器２とを互いに電気的に接続する電波入力線５と、電力電波重畳器２とＡＶ機器接続装置３とを互いに電気的に接続する電力電波重畳出力線６とを備える。
【０００８】
電力電波重畳器２は、電波入力線５が接続コネクタ５１により電気的に接続される電波入力端子７と、変圧器８と、変圧器８の２次側コイル８ａと互いに電気的に接続された整流器９と、整流器９の出力端子と互いに電気的に接続された定電圧回路１０と、定電圧回路１０の出力端子と互いに電気的に接続された負性抵抗素子により形成された過電流保護回路１１と、過電流保護回路１１の出力側に設けられた電力電波重畳回路１２と、電力電波重畳回路１２の出力端子と互いに電気的に接続されて電力電波重畳回路１２で重畳された電力と電波とを出力する電力電波出力端子１３とを備える。
【０００９】
変圧器８の１次側コイル８ｂには電源ケーブル１４が接続されて電力電波重畳器２の外囲筐体１５の外部に延長し、この電源ケーブル１４の先端に設けられた電源コンセントプラグ１６を図外の電源コンセントに差し込むことにより変圧器８の１次側コイル８ｂに商用電源（ＡＣ１００Ｖ（５０Ｈｚ又は６０Ｈｚ））が供給される。電源コンセントプラグ１６および電源ケーブル１４により電力電波重畳器２の電力入力部が形成される。変圧器８と整流器９と定電圧回路１０とにより出力電力形成回路系統が形成される。
【００１０】
電力電波重畳回路１２は、正極側回路２１と負極側回路２２とを備える。正極側回路２１と負極側回路２２は、それぞれ、例えば、高周波ブロックを構成するコイルと高周波通過フィルタを構成するコンデンサとの並列回路で構成される。正極側回路２１は、一端が過電流保護回路１１と互いに電気的に接続され他端が電力電波出力端子１３の正極１３ａと互いに電気的に接続されたコイル２３ａと、一極が電波入力端子７の正極７ａと互いに電気的に接続され他極がコイル２３ａと電力電波出力端子１３の正極１３ａとの電気的経路と互いに電気的に並列に接続されたコンデンサ２４ａとで構成される。電波入力端子７の負極７ｂは外囲筐体１５に接続されて接地（アース）される。負極側回路２２は、整流器９、定電圧回路１０の接地端子および電力電波出力端子１３の負極１３ｂと互いに電気的に直列に接続されたコイル２３ｂと、一極が電波入力端子７の負極７ｂと互いに電気的に接続され他極がコイル２３ｂと電力電波出力端子１３の負極１３ｂとの電気的経路と互いに電気的に並列に接続されたコンデンサ２４ｂとで構成される。
【００１１】
電力電波出力端子１３と電力電波重畳出力線６とが接続コネクタ２５を介して互いに電気的に接続され、電力電波重畳出力線６と接続コネクタ２６を介してＡＶ機器接続装置３の入力端子２７とが接続コネクタ２６を介して互いに電気的に接続される。
【００１２】
ＡＶ機器接続装置３はテレビ受像機４を載置する台座２８を備える。台座２８はテレビ受像機４の底面４ａに形成された係合凹部３０に係合する凸部３１とテレビ受像機４に設けられたＡＶ機器側接続電極３２に接続される台座側接続電極３３と備える。台座側接続電極３３は正電極３３ａと負電極３３ｂとを備え、伝送線３４の正極線３４ａにより、台座側接続電極３３の正電極３３ａと入力端子２７の正極２７ａとが、伝送線３４の負極線３４ｂにより、台座側接続電極３３の負電極３３ｂと入力端子２７の負極２７ｂとが互いに電気的に接続される。
【００１３】
テレビ受像機４は、上記ＡＶ機器側接続電極３２と、伝送線５０を介してＡＶ機器側接続電極３２の正電極３２ａおよび負電極３２ｂと互いに電気的に接続された電力電波分離回路３５と、電力電波分離回路３５の電力出力端子と互いに電気的に接続された電源回路３６と、電力電波分離回路３５の電波出力端子と互いに電気的に接続されたチューナ３７とを備える。電源回路３６は例えばスイッチング電源により形成され、スイッチング電源により１２Ｖの電圧を５Ｖや３Ｖ等のテレビ受像機４の内蔵回路に必要な所要の電圧に変換してテレビ受像機４の内蔵回路に供給する。尚、図１において、６０はテレビ画面、６１は選局ボタン、６２は電源ボタン、６３は音量ボタン、６４は音声出力部である。
【００１４】
電力電波分離回路３５は、正極側回路３８と負極側回路３９とを備え、基本的には電力電波重畳回路１２と同じである。即ち、正極側回路３８と負極側回路２２は、それぞれ、例えば、高周波ブロックを構成するコイルと高周波通過フィルタを構成するコンデンサとの並列回路で構成される。正極側回路２１は、伝送線５０が接続された電力電波分離回路３５の電力電波入力端子５１の正極端子５１ａと電源回路３６の正極入力端子３６ａとの間の電気的経路に電気的に接続されたコイル４１ａと、一極が電力電波入力端子５１の正極端子５１ａとコイル４１ａとの間の電気的経路に電気的に並列に接続され、他極がチューナ３７の正極入力端子３７ａと電気的に接続されたコンデンサ４２ａとで構成される。チューナ３７の負極入力端子３７ｂは接地される。負極側回路３９は、伝送線５０が接続された電力電波入力端子５１の負極端子５１ｂと電源回路３６の負極入力端子３６ｂとの間の電気的経路に電気的に接続されたコイル４１ｂと、一極が電力電波入力端子５１の負極端子５１ｂとコイル４１ｂとの間の電気的経路に電気的に並列に接続され、他極がチューナ３７の負極入力端子３７ｂと電気的に接続されたコンデンサ４２ｂとで構成される。即ち、正極側回路３８と負極側回路３９はそれぞれ電波出力端子（チューナ３７の入力端子と互いに電気的に接続される端子）と電力出力端子（電源回路３６の入力端子と互いに電気的に接続される端子）とを備える。
【００１５】
上記電力電波重畳器２は、電力とアンテナで受信した強い電波とを重畳して出力できるので、テレビ受像機４でのテレビジョン信号の良好な再生を可能とする。また、電力電波出力端子１３に接続される電力電波重畳出力線６により電力と電波とを重畳して出力できるので、電源コンセントおよびアンテナ端子の無い部屋においてテレビ受像機４でテレビジョン信号による映像や音声を視聴する場合に部屋間にまたがって引き回す線数を少なくできる。また、電力電波重畳器２では、高周波信号であるアンテナ１からの電波がコンデンサ２４ａ，２４ｂを通過し、通過した電波はコイル２３ａ，２３ｂにより出力電力形成回路系統側へは流れないので、電力電波出力端子１３に出力され、また、コイル２３ａ，２３ｂは低周波信号である電力を通過させ、電力はコンデンサ２４ａ，２４ｂで阻止されて電波入力端子７側に流れないので、電力電波出力端子１３に出力される。即ち、電力ラインと電波ラインとが電力電波重畳回路１２により並列接続され、電力と電波の減衰を少なくできて、電力ラインと電波ラインとの電気的接続点１２ａ，１２ｂを介して電力と電波とが重畳された減衰の少ない電波電力重畳信号をテレビ受像機４に確実に供給できる。また、電力電波重畳器２が出力電力形成回路系統の出力側に負性抵抗素子により形成された過電流保護回路１１を備えるので、負性抵抗素子を流れる電流により負性抵抗素子の温度が負性抵抗素子により決められた設定温度を超えると負性抵抗素子の抵抗値が急激に増加して電流を遮断するとともに、負性抵抗素子の温度が設定温度以下に戻ると抵抗値が小さくなって電流を流し、電力電波重畳出力線６に一定量を超えた電流を流さないようにできる。これにより、例えば、電力電波重畳出力線に短絡事故が発生した場合に電流を遮断できて、安全と電力電波重畳出力線６に接続されるテレビ受像機４の保護とを実現できるとともに、事故が復旧すれば再び電力電波重畳出力線６に電流を流すことができるので、自然復旧可能な電力電波重畳器２が得られる。また、電力電波重畳器２は、変圧器８と、整流器９と、定電圧回路１０とにより構成された出力電力形成回路系統を備えるので、電力電波重畳出力線６に所定電圧による安定な電力を供給できる。例えば、交流１００Ｖ−交流２４Ｖの変圧器８を使用し、定電圧回路１０の出力電圧値を２４Ｖとすることで、テレビ受像機４に直流２４Ｖの電力を安定に供給できる。また、電力電波重畳器２から重畳して送られてくる電力と電波とを分離する電力電波分離回路３５とチューナ３７と電源回路３６とを内蔵したテレビ受像機４により、テレビジョン信号を良好に再生できる。また、台座側接続電極３３とＡＶ機器側接続電極３２との電気的接続により電力電波重畳器２からの電力電波をテレビ受像機４に供給できるように構成したので、テレビ受像機４の電源ケーブルを不要とできて、テレビ受像機４にテレビジョン信号の良好な再生を行なわせることが可能となる。
【００１６】
実施形態では電力電波分離回路３５をテレビ受像機４に内蔵したが、電力電波分離回路３５を具備したテレビ受像機４とは別体の電力電波分離器をテレビ受像機４の入力端子に接続するようにしてもよい。このような電力電波分離器を用いても、テレビ受像機４でのテレビジョン信号の良好な再生を可能とできる。
【産業上の利用可能性】
【００１７】
上記電波入力線５、電力電波重畳出力線６、伝送線３４，５０としては、７５Ω同軸ケーブル線を使用することが好ましいが、３００Ωフィーダ線を使用してもよい。
ＡＶ機器としてテレビ受像機を例にして説明したが、本発明はラジオ受像機であっても同様に適用でき、同様の効果を得ることができる。
【図面の簡単な説明】
【００１８】
【図１】本発明の実施形態による電力電波重畳器、電力電波分離器、ＡＶ機器並びにＡＶ機器接続構造を用いたテレビシステムの全体構成図。
【図２】本発明の実施形態による電力電波重畳器、電力電波分離器、ＡＶ機器並びにＡＶ機器接続構造の回路構成図。
【符号の説明】
【００１９】
１  アンテナ、２  電力電波重畳器、３  ＡＶ機器接続装置、
４  テレビ受像機（ＡＶ機器）、６  電力電波重畳出力線、７  電波入力端子、
８  変圧器、９  整流器、１０  定電圧回路、１１  過電流保護回路、
１２  電力電波重畳回路、１３  電力電波出力端子、
２３ａ，２３ｂ，４１ａ，４１ｂ  コイル、
２４ａ，２４ｂ，４２ａ，４２ｂ  コンデンサ、
２８  台座、３２  ＡＶ機器側接続電極、３３  台座側接続電極、
３５  電力電波分離回路、３６  電源回路、３７  チューナ、
５１  電力電波入力端子。
【図１】
2005236747.tif 000003
【図２】
2005236747.tif 000004